(57)【要約】【課題】相補型光伝送におけるノイズ耐性を向上させることが可能な光通信用受信回路を提供する。【解決手段】フォトダイオードＤ１、Ｄ２からの出力が差動入力として与えられる差動回路１１、差動回路１１の出力に基づいてラッチ動作を行うラッチ回路１２、ラッチ回路１２のラッチ状態に基づいてセット動作及びリセット動作を行うフリップフロップＳＲ１およびラッチ回路１２のラッチ状態に基づいて、差動回路１１の両方の差動入力端子の電位を信号光が入力されない時の状態に移行させるプリチャージ回路１３を設ける。【選択図】      図１
2010219642.tif 000002
【特許請求の範囲】
【請求項１】
信号光の立ち上がりエッジに対応したセットパルスを受光する第１のフォトダイオードと、
前記信号光の立ち下がりエッジに対応したリセットパルスを受光する第２のフォトダイオードと、
前記第１のフォトダイオードのアノード側に一方の差動入力端子が接続され、前記第２のフォトダイオードのアノード側に他方の差動入力端子が接続された差動回路と、
前記差動回路の出力に基づいてラッチ動作を行うラッチ回路と、
前記ラッチ回路のラッチ状態に基づいてセット動作及びリセット動作を行うフリップフロップとを備えることを特徴とする光通信用受信回路。
【請求項２】
前記差動回路の一方の差動入力端子に接続された第１の抵抗と、
前記差動回路の他方の差動入力端子に接続された第２の抵抗とを備えることを特徴とする請求項１に記載の光通信用受信回路。
【請求項３】
前記ラッチ回路のラッチ状態に基づいて、前記差動回路の両方の差動入力端子の電位を前記信号光が入力されない時の状態に移行させるプリチャージ回路を備えることを特徴とする請求項１または２に記載の光通信用受信回路。
【請求項４】
前記ラッチ回路のラッチ状態に基づいて、前記差動回路の片側のみの差動入力端子の電位を前記信号光が入力されない時の状態に移行させるプリチャージ回路を備えることを特徴とする請求項１または２に記載の光通信用受信回路。
【請求項５】
前記ラッチ回路のラッチ状態に基づいて、前記ラッチ回路の出力を所定の電位に固定するトランジスタを備えることを特徴とする請求項１から４のいずれか１項に記載の光通信用受信回路。
【発明の詳細な説明】
【技術分野】
【０００１】
本発明は光通信用受信回路に関し、特に、相補型光伝送に用いられる光通信用受信回路に適用して好適なものである。
【背景技術】
【０００２】
光通信では、受光素子を用いて光電変換が行われ、信号光のパルス幅が長いと、受光素子に長時間電流が流れることから、消費電流が増大する。このため、信号光のパルス幅が長い場合においても、受光素子に長時間電流が流れるのを防止するため、相補型光配線回路を用いる方法がある。この相補型光配線回路では、信号光の立ち上がりエッジ（セットパルス光）および立ち下がりエッジ（リセットパルス光）のみを送信し、これらの立ち上がりエッジおよび立ち下がりエッジから元の信号を復元することが行われる。
【０００３】
また、例えば、特許文献１には、相補型光配線回路の出力ドリフトを抑制するために、互いに直列接続された第１及び第２のダイオード型発光素子と、第１及び第２のダイオード型発光素子の接続点に接続された結合コンデンサと、結合コンデンサを介して第１のダイオード型発光素子及び第２のダイオード型発光素子に交互に、微分波形信号を印加するためのパルス信号源と、第１のダイオード型発光素子のアノードと第２のダイオード型発光素子のカソード間に接続された直流バイアス電圧源とを設ける方法が開示されている。
【先行技術文献】
【特許文献】
【０００４】
【特許文献１】特開２００１−２８５１９５号公報
【発明の概要】
【発明が解決しようとする課題】
【０００５】
しかしながら、従来の光通信用受信回路では、セットパルス光およびリセットパルス光の光電変換が独立に行われる。このため、セットパルス光およびリセットパルス光の伝送時にセットパルス光またはリセットパルス光にノイズが乗ると、それらのノイズを除去することができないという問題があった。
【０００６】
本発明の目的は、相補型光伝送におけるノイズ耐性を向上させることが可能な光通信用受信回路を提供することである。
【課題を解決するための手段】
【０００７】
本発明の一態様によれば、信号光の立ち上がりエッジに対応したセットパルスを受光する第１のフォトダイオードと、前記信号光の立ち下がりエッジに対応したリセットパルスを受光する第２のフォトダイオードと、前記第１のフォトダイオードのアノード側に一方の差動入力端子が接続され、前記第２のフォトダイオードのアノード側に他方の差動入力端子が接続された差動回路と、前記差動回路の出力に基づいてラッチ動作を行うラッチ回路と、前記ラッチ回路のラッチ状態に基づいてセット動作及びリセット動作を行うフリップフロップとを備えることを特徴とする光通信用受信回路を提供する。
【発明の効果】
【０００８】
本発明によれば、相補型光伝送におけるノイズ耐性を向上させることが可能な光通信用受信回路を提供することが可能となる。
【図面の簡単な説明】
【０００９】
【図１】図１は、本発明の第１実施形態に係る光通信用受信回路の概略構成を示すブロック図。
【図２】図２は、図１の光通信用受信回路の動作を示すタイミングチャート。
【図３】図３は、本発明の第２実施形態に係る光通信用受信回路の概略構成を示すブロック図。
【図４】図４は、図３の光通信用受信回路の動作を示すタイミングチャート。
【図５】図５は、本発明の第３実施形態に係る光通信用受信回路の概略構成を示すブロック図。
【図６】図６は、図５の光通信用受信回路の動作を示すタイミングチャート。
【発明を実施するための形態】
【００１０】
以下、本発明の実施形態に係る光通信用受信回路について図面を参照しながら説明する。
【００１１】
（第１実施形態）
図１は、本発明の第１実施形態に係る光通信用受信回路の概略構成を示すブロック図である。
図１において、光通信用受信回路には、フォトダイオードＤ１、Ｄ２が設けられている。ここで、フォトダイオードＤ１は、信号光の立ち上がりエッジに対応したセットパルス光ＯＰＴｔを受光することができる。フォトダイオードＤ２は、信号光の立ち下がりエッジに対応したリセットパルス光ＯＰＴｃを受光することができる。
【００１２】
また、光通信用受信回路には、フォトダイオードＤ１、Ｄ２からの出力が差動入力として与えられる差動回路１１、差動回路１１の出力に基づいてラッチ動作を行うラッチ回路１２、ラッチ回路１２のラッチ状態に基づいてセット動作及びリセット動作を行うフリップフロップＳＲ１およびラッチ回路１２のラッチ状態に基づいて、差動回路１１の両方の差動入力端子の電位を信号光が入力されない時の状態に移行させるプリチャージ回路１３が設けられている。
【００１３】
ここで、差動回路１１には、Ｎチャンネル電界効果トランジスタＮ０〜Ｎ２が設けられている。そして、Ｎチャンネル電界効果トランジスタＮ０のドレインは、Ｎチャンネル電界効果トランジスタＮ１、Ｎ２のソースに接続されている。また、Ｎチャンネル電界効果トランジスタＮ１のゲートは、フォトダイオードＤ１のカソードに接続されるとともに、コンデンサＣ１に接続されている。また、Ｎチャンネル電界効果トランジスタＮ２のゲートは、フォトダイオードＤ２のカソードに接続されるとともに、コンデンサＣ２に接続されている。
【００１４】
また、ラッチ回路１２には、Ｎチャンネル電界効果トランジスタＮ３、Ｎ４およびＰチャンネル電界効果トランジスタＰ１、Ｐ２が設けられている。そして、Ｎチャンネル電界効果トランジスタＮ３とＰチャンネル電界効果トランジスタＰ１とは、ゲートが共通に接続されるとともに、ドレインが共通に接続されることで、インバータを構成している。また、Ｎチャンネル電界効果トランジスタＮ４とＰチャンネル電界効果トランジスタＰ２とは、ゲートが共通に接続されるとともに、ドレインが共通に接続されることで、インバータを構成している。そして、これらの１対のインバータは、一方の入力が他方の出力に互いに接続されることによりクロスカップル接続されている。
【００１５】
そして、Ｎチャンネル電界効果トランジスタＮ３のドレインと、Ｐチャンネル電界効果トランジスタＰ１のドレインと、Ｎチャンネル電界効果トランジスタＮ４のゲートと、Ｐチャンネル電界効果トランジスタＰ２のゲートとは、フリップフロップＳＲ１のセット端子に接続されている。また、Ｎチャンネル電界効果トランジスタＮ４のドレインと、Ｐチャンネル電界効果トランジスタＰ２のドレインと、Ｎチャンネル電界効果トランジスタＮ３のゲートと、Ｐチャンネル電界効果トランジスタＰ１のゲートとは、フリップフロップＳＲ１のリセット端子に接続されている。
【００１６】
また、Ｎチャンネル電界効果トランジスタＮ３のドレインと、Ｐチャンネル電界効果トランジスタＰ１のドレインとは、Ｐチャンネル電界効果トランジスタＰ３のドレインに接続されている。また、Ｎチャンネル電界効果トランジスタＮ４のドレインと、Ｐチャンネル電界効果トランジスタＰ２のドレインとは、Ｐチャンネル電界効果トランジスタＰ４のドレインに接続されている。
【００１７】
また、プリチャージ回路１３には、Ｎチャンネル電界効果トランジスタＮ５、Ｎ６、排他的論理和回路ＸＲ１およびインバータＩＶ１が設けられている。そして、Ｎチャンネル電界効果トランジスタＮ５のドレインは、Ｎチャンネル電界効果トランジスタＮ１のゲートに接続されている。また、Ｎチャンネル電界効果トランジスタＮ６のドレインは、Ｎチャンネル電界効果トランジスタＮ２のゲートに接続されている。
【００１８】
また、Ｎチャンネル電界効果トランジスタＮ３のドレインと、Ｐチャンネル電界効果トランジスタＰ１のドレインと、Ｎチャンネル電界効果トランジスタＮ４のゲートと、Ｐチャンネル電界効果トランジスタＰ２のゲートとは、排他的論理和回路ＸＲ１の一方の入力端子に接続されている。また、Ｎチャンネル電界効果トランジスタＮ４のドレインと、Ｐチャンネル電界効果トランジスタＰ２のドレインと、Ｎチャンネル電界効果トランジスタＮ３のゲートと、Ｐチャンネル電界効果トランジスタＰ１のゲートとは、排他的論理和回路ＸＲ１の他方の入力端子に接続されている。
【００１９】
また、排他的論理和回路ＸＲ１の出力端子は、Ｎチャンネル電界効果トランジスタＮ５のゲートと、Ｎチャンネル電界効果トランジスタＮ６のゲートに接続されている。また、排他的論理和回路ＸＲ１の出力端子は、インバータＩＶ１を介して、Ｎチャンネル電界効果トランジスタＮ０のゲートと、Ｐチャンネル電界効果トランジスタＰ３のゲートと、Ｐチャンネル電界効果トランジスタＰ４のゲートに接続されている。
【００２０】
図２は、図１の光通信用受信回路の動作を示すタイミングチャートである。
図２において、差動回路１１への入力電圧Ｘｔ、Ｘｃがロウレベル、ラッチ回路１２からの出力電圧Ｖｔｎ、Ｖｃｎがハイレベルであるものする。そして、ラッチ回路１２からの出力電圧Ｖｔｎ、Ｖｃｎがハイレベルの場合、排他的論理和回路ＸＲ１からの出力電圧ＰＣｐはロウレベル、インバータＩＶ１からの出力電圧ＰＣｎはハイレベルになる。
【００２１】
このため、Ｎチャンネル電界効果トランジスタＮ５、Ｎ６およびＰチャンネル電界効果トランジスタＰ３、Ｐ４はオフするとともに、Ｎチャンネル電界効果トランジスタＮ０はオンする。この結果、差動回路１１は、差動動作が可能な状態に維持されるとともに、ラッチ回路１２は、ラッチ動作が可能な状態に維持される。
【００２２】
そして、セットパルス光ＯＰＴｔがフォトダイオードＤ１に入射すると（時刻ｔ１）、セットパルス光ＯＰＴｔがフォトダイオードＤ１にて光電変換されることで、入力電圧Ｘｔがロウレベルからハイレベルに変化し（時刻ｔ２）、Ｎチャンネル電界効果トランジスタＮ１のゲートに印加される。そして、Ｎチャンネル電界効果トランジスタＮ１のゲート電位がハイレベルになると、Ｎチャンネル電界効果トランジスタＮ１がオンする。そして、出力電圧Ｖｃｎがハイレベルである場合、Ｎチャンネル電界効果トランジスタＮ３はオンするため、出力電圧Ｖｔｎがロウレベルに変化する（時刻ｔ３）。
【００２３】
そして、出力電圧Ｖｔｎがロウレベルに変化すると、フリップフロップＳＲ１の出力電圧ｏｕｔは、ロウレベルからハイレベルに変化するとともに（時刻ｔ４）、排他的論理和回路ＸＲ１からの出力電圧ＰＣｐはロウレベルからハイレベルに変化する（時刻ｔ５）。そして、排他的論理和回路ＸＲ１からの出力電圧ＰＣｐがロウレベルからハイレベルに変化すると、Ｎチャンネル電界効果トランジスタＮ５、Ｎ６がオンし、差動回路１１への入力電圧Ｘｔがハイレベルからロウレベルに変化するとともに（時刻ｔ６）、差動回路１１への入力電圧Ｘｃがロウレベルのまま維持される。
【００２４】
また、排他的論理和回路ＸＲ１からの出力電圧ＰＣｐがロウレベルからハイレベルに変化すると、インバータＩＶ１からの出力電圧ＰＣｎはハイレベルからロウレベルに変化する（時刻ｔ７）。そして、インバータＩＶ１からの出力電圧ＰＣｎがハイレベルからロウレベルに変化すると、Ｎチャンネル電界効果トランジスタＮ０がオフするとともに、Ｐチャンネル電界効果トランジスタＰ３、Ｐ４がオンし、出力電圧Ｖｔｎがロウレベルからハイレベルに変化するとともに（時刻ｔ８）、出力電圧Ｖｃｎがハイレベルのまま維持される。
【００２５】
そして、出力電圧Ｖｔｎがハイレベルに変化すると、排他的論理和回路ＸＲ１からの出力電圧ＰＣｐはハイレベルからロウレベルに変化する（時刻ｔ９）。そして、排他的論理和回路ＸＲ１からの出力電圧ＰＣｐがハイレベルからロウレベルに変化すると、Ｎチャンネル電界効果トランジスタＮ５、Ｎ６がオフする。また、排他的論理和回路ＸＲ１からの出力電圧ＰＣｐがハイレベルからロウレベルに変化すると、インバータＩＶ１からの出力電圧ＰＣｎはロウレベルからハイレベルに変化する（時刻ｔ１０）。そして、インバータＩＶ１からの出力電圧ＰＣｎがロウレベルからハイレベルに変化すると、Ｎチャンネル電界効果トランジスタＮ０がオンするとともに、Ｐチャンネル電界効果トランジスタＰ３、Ｐ４がオフする。
【００２６】
次に、リセットパルス光ＯＰＴｃがフォトダイオードＤ２に入射すると（時刻ｔ１１）、リセットパルス光ＯＰＴｃがフォトダイオードＤ２にて光電変換されることで、入力電圧Ｘｃがロウレベルからハイレベルに変化し（時刻ｔ１２）、Ｎチャンネル電界効果トランジスタＮ２のゲートに印加される。そして、Ｎチャンネル電界効果トランジスタＮ２のゲート電位がハイレベルになると、Ｎチャンネル電界効果トランジスタＮ２がオンする。そして、出力電圧Ｖｔｎがハイレベルである場合、Ｎチャンネル電界効果トランジスタＮ４はオンするため、出力電圧Ｖｃｎがロウレベルに変化する（時刻ｔ１３）。
【００２７】
そして、出力電圧Ｖｃｎがロウレベルに変化すると、フリップフロップＳＲ１の出力電圧ｏｕｔは、ハイレベルからロウレベルに変化することで（時刻ｔ１４）、元の信号光が復元されるとともに、排他的論理和回路ＸＲ１からの出力電圧ＰＣｐはロウレベルからハイレベルに変化する（時刻ｔ１５）。そして、排他的論理和回路ＸＲ１からの出力電圧ＰＣｐがロウレベルからハイレベルに変化すると、Ｎチャンネル電界効果トランジスタＮ５、Ｎ６がオンし、差動回路１１への入力電圧Ｘｃがハイレベルからロウレベルに変化するとともに（時刻ｔ１６）、差動回路１１への入力電圧Ｘｔがロウレベルのまま維持される。
【００２８】
また、排他的論理和回路ＸＲ１からの出力電圧ＰＣｐがロウレベルからハイレベルに変化すると、インバータＩＶ１からの出力電圧ＰＣｎはハイレベルからロウレベルに変化する（時刻ｔ１７）。そして、インバータＩＶ１からの出力電圧ＰＣｎがハイレベルからロウレベルに変化すると、Ｎチャンネル電界効果トランジスタＮ０がオフするとともに、Ｐチャンネル電界効果トランジスタＰ３、Ｐ４がオンし、出力電圧Ｖｃｎがロウレベルからハイレベルに変化するとともに（時刻ｔ１８）、出力電圧Ｖｔｎがハイレベルのまま維持される。
【００２９】
そして、出力電圧Ｖｃｎがハイレベルに変化すると、排他的論理和回路ＸＲ１からの出力電圧ＰＣｐはハイレベルからロウレベルに変化する（時刻ｔ１９）。そして、排他的論理和回路ＸＲ１からの出力電圧ＰＣｐがハイレベルからロウレベルに変化すると、Ｎチャンネル電界効果トランジスタＮ５、Ｎ６がオフする。また、排他的論理和回路ＸＲ１からの出力電圧ＰＣｐがハイレベルからロウレベルに変化すると、インバータＩＶ１からの出力電圧ＰＣｎはロウレベルからハイレベルに変化する（時刻ｔ２０）。そして、インバータＩＶ１からの出力電圧ＰＣｎがロウレベルからハイレベルに変化すると、Ｎチャンネル電界効果トランジスタＮ０がオンするとともに、Ｐチャンネル電界効果トランジスタＰ３、Ｐ４がオフする。
【００３０】
これにより、セットパルス光ＯＰＴｔおよびリセットパルス光ＯＰＴｃの入力がない場合には、光通信用受信回路の全ての電流パスを遮断することができ、低消費電力化を図ることができる。
【００３１】
また、フォトダイオードＤ１、Ｄ２からの出力を差動回路１１に差動入力として与えることにより、セットパルス光ＯＰＴｔおよびリセットパルス光ＯＰＴｃに重畳される同相ノイズを除去することができ、相補型光伝送におけるノイズ耐性を向上させることができる。
【００３２】
図３は、本発明の第２実施形態に係る光通信用受信回路の概略構成を示すブロック図である。
図３において、この光通信用受信回路には、図１のプリチャージ回路１３の代わりにプリチャージ回路１３´が設けられている。ここで、プリチャージ回路１３´には、Ｎチャンネル電界効果トランジスタＮ５〜Ｎ８およびインバータＩＶ２、ＩＶ３が設けられている。そして、Ｎチャンネル電界効果トランジスタＮ７は、Ｎチャンネル電界効果トランジスタＮ５に直列に接続されている。また、Ｎチャンネル電界効果トランジスタＮ８は、Ｎチャンネル電界効果トランジスタＮ６に直列に接続されている。
【００３３】
また、Ｎチャンネル電界効果トランジスタＮ３のドレインと、Ｐチャンネル電界効果トランジスタＰ１のドレインと、Ｎチャンネル電界効果トランジスタＮ４のゲートと、Ｐチャンネル電界効果トランジスタＰ２のゲートとは、インバータＩＶ２を介してＮチャンネル電界効果トランジスタＮ５のゲートに接続されている。また、Ｎチャンネル電界効果トランジスタＮ３のドレインと、Ｐチャンネル電界効果トランジスタＰ１のドレインと、Ｎチャンネル電界効果トランジスタＮ４のゲートと、Ｐチャンネル電界効果トランジスタＰ２のゲートとは、Ｎチャンネル電界効果トランジスタＮ８のゲートに接続されている。
【００３４】
また、Ｎチャンネル電界効果トランジスタＮ４のドレインと、Ｐチャンネル電界効果トランジスタＰ２のドレインと、Ｎチャンネル電界効果トランジスタＮ３のゲートと、Ｐチャンネル電界効果トランジスタＰ１のゲートとは、インバータＩＶ３を介してＮチャンネル電界効果トランジスタＮ６のゲートに接続されている。また、Ｎチャンネル電界効果トランジスタＮ４のドレインと、Ｐチャンネル電界効果トランジスタＰ２のドレインと、Ｎチャンネル電界効果トランジスタＮ３のゲートと、Ｐチャンネル電界効果トランジスタＰ１のゲートとは、Ｎチャンネル電界効果トランジスタＮ７のゲートに接続されている。
【００３５】
図４は、図３の光通信用受信回路の動作を示すタイミングチャートである。
図４において、差動回路１１への入力電圧Ｘｔ、Ｘｃがロウレベル、ラッチ回路１２からの出力電圧Ｖｔｎ、Ｖｃｎがハイレベルであるものする。そして、ラッチ回路１２からの出力電圧Ｖｔｎ、Ｖｃｎがハイレベルの場合、排他的論理和回路ＸＲ１からの出力電圧ＰＣｐはロウレベル、インバータＩＶ１からの出力電圧ＰＣｎはハイレベルになる。
【００３６】
このため、Ｐチャンネル電界効果トランジスタＰ３、Ｐ４はオフするとともに、Ｎチャンネル電界効果トランジスタＮ０、Ｎ７、Ｎ８はオンする。また、出力電圧Ｖｔｎ、Ｖｃｎは、インバータＩＶ２、ＩＶ３にてそれぞれ反転されてから、Ｎチャンネル電界効果トランジスタＮ５、Ｎ６のゲートに印加される。このため、出力電圧Ｖｔｎ、Ｖｃｎがハイレベルの場合、Ｎチャンネル電界効果トランジスタＮ５、Ｎ６はオフする。
【００３７】
この結果、差動回路１１は、差動動作が可能な状態に維持されるとともに、ラッチ回路１２は、ラッチ動作が可能な状態に維持される。
【００３８】
そして、セットパルス光ＯＰＴｔがフォトダイオードＤ１に入射すると（時刻ｔ３１）、セットパルス光ＯＰＴｔがフォトダイオードＤ１にて光電変換されることで、入力電圧Ｘｔがロウレベルからハイレベルに変化し（時刻ｔ３２）、Ｎチャンネル電界効果トランジスタＮ１のゲートに印加される。そして、Ｎチャンネル電界効果トランジスタＮ１のゲート電位がハイレベルになると、Ｎチャンネル電界効果トランジスタＮ１がオンする。そして、出力電圧Ｖｃｎがハイレベルである場合、Ｎチャンネル電界効果トランジスタＮ３はオンするため、出力電圧Ｖｔｎがロウレベルに変化する（時刻ｔ３３）。
【００３９】
そして、出力電圧Ｖｔｎがロウレベルに変化すると、フリップフロップＳＲ１の出力電圧ｏｕｔは、ロウレベルからハイレベルに変化するとともに（時刻ｔ３４）、排他的論理和回路ＸＲ１からの出力電圧ＰＣｐはロウレベルからハイレベルに変化する（時刻ｔ３５）。そして、排他的論理和回路ＸＲ１からの出力電圧ＰＣｐがロウレベルからハイレベルに変化すると、インバータＩＶ１からの出力電圧ＰＣｎはハイレベルからロウレベルに変化する（時刻ｔ３６）。
【００４０】
また、出力電圧Ｖｔｎがロウレベルに変化すると、出力電圧ＶｔｎはインバータＩＶ２にてハイレベルに反転されてからＮチャンネル電界効果トランジスタＮ５のゲートに印加される。このため、Ｎチャンネル電界効果トランジスタＮ５はオンし、入力電圧Ｘｔがハイレベルからロウレベルに変化する（時刻ｔ３７）。この結果、Ｎチャンネル電界効果トランジスタＮ５、Ｎ７がオンした状態でＮチャンネル電界効果トランジスタＮ１はオフし、コンデンサＣ１のプリチャージが行われる。
【００４１】
そして、インバータＩＶ１からの出力電圧ＰＣｎがハイレベルからロウレベルに変化すると、Ｎチャンネル電界効果トランジスタＮ０がオフするとともに、Ｐチャンネル電界効果トランジスタＰ３、Ｐ４がオンし、出力電圧Ｖｔｎがロウレベルからハイレベルに変化するとともに（時刻ｔ３８）、出力電圧Ｖｃｎがハイレベルのまま維持される。
【００４２】
そして、出力電圧Ｖｔｎがハイレベルに変化すると、排他的論理和回路ＸＲ１からの出力電圧ＰＣｐはハイレベルからロウレベルに変化する（時刻ｔ３９）。そして、排他的論理和回路ＸＲ１からの出力電圧ＰＣｐがハイレベルからロウレベルに変化すると、インバータＩＶ１からの出力電圧ＰＣｎはロウレベルからハイレベルに変化する（時刻ｔ４０）。そして、インバータＩＶ１からの出力電圧ＰＣｎがロウレベルからハイレベルに変化すると、Ｎチャンネル電界効果トランジスタＮ０がオンするとともに、Ｐチャンネル電界効果トランジスタＰ３、Ｐ４がオフする。
【００４３】
次に、リセットパルス光ＯＰＴｃがフォトダイオードＤ２に入射すると（時刻ｔ４１）、リセットパルス光ＯＰＴｃがフォトダイオードＤ２にて光電変換されることで、入力電圧Ｘｃがロウレベルからハイレベルに変化し（時刻ｔ４２）、Ｎチャンネル電界効果トランジスタＮ２のゲートに印加される。そして、Ｎチャンネル電界効果トランジスタＮ２のゲート電位がハイレベルになると、Ｎチャンネル電界効果トランジスタＮ２がオンする。そして、出力電圧Ｖｔｎがハイレベルである場合、Ｎチャンネル電界効果トランジスタＮ４はオンするため、出力電圧Ｖｃｎがロウレベルに変化する（時刻ｔ４３）。
【００４４】
そして、出力電圧Ｖｃｎがロウレベルに変化すると、フリップフロップＳＲ１の出力電圧ｏｕｔは、ハイレベルからロウレベルに変化することで（時刻ｔ４４）、元の信号光が復元されるとともに、排他的論理和回路ＸＲ１からの出力電圧ＰＣｐはロウレベルからハイレベルに変化する（時刻ｔ４５）。そして、排他的論理和回路ＸＲ１からの出力電圧ＰＣｐがロウレベルからハイレベルに変化すると、インバータＩＶ１からの出力電圧ＰＣｎはハイレベルからロウレベルに変化する（時刻ｔ４６）。
【００４５】
また、出力電圧Ｖｃｎがロウレベルに変化すると、出力電圧ＶｃｎはインバータＩＶ３にてハイレベルに反転されてからＮチャンネル電界効果トランジスタＮ６のゲートに印加される。このため、Ｎチャンネル電界効果トランジスタＮ６はオンし、入力電圧Ｘｃがハイレベルからロウレベルに変化する（時刻ｔ４７）。この結果、Ｎチャンネル電界効果トランジスタＮ６、Ｎ８がオンした状態でＮチャンネル電界効果トランジスタＮ２はオフし、コンデンサＣ２のプリチャージが行われる。
【００４６】
そして、インバータＩＶ１からの出力電圧ＰＣｎがハイレベルからロウレベルに変化すると、Ｎチャンネル電界効果トランジスタＮ０がオフするとともに、Ｐチャンネル電界効果トランジスタＰ３、Ｐ４がオンし、出力電圧Ｖｃｎがロウレベルからハイレベルに変化するとともに（時刻ｔ４８）、出力電圧Ｖｔｎがハイレベルのまま維持される。
【００４７】
そして、出力電圧Ｖｃｎがハイレベルに変化すると、排他的論理和回路ＸＲ１からの出力電圧ＰＣｐはハイレベルからロウレベルに変化する（時刻ｔ４９）。そして、排他的論理和回路ＸＲ１からの出力電圧ＰＣｐがハイレベルからロウレベルに変化すると、インバータＩＶ１からの出力電圧ＰＣｎはロウレベルからハイレベルに変化する（時刻ｔ５０）。そして、インバータＩＶ１からの出力電圧ＰＣｎがロウレベルからハイレベルに変化すると、Ｎチャンネル電界効果トランジスタＮ０がオンするとともに、Ｐチャンネル電界効果トランジスタＰ３、Ｐ４がオフする。
【００４８】
これにより、セットパルス光ＯＰＴｔがフォトダイオードＤ１に入射した直後においては、コンデンサＣ１のみのプリチャージを行うことができ、コンデンサＣ２のプリチャージが行われないようにすることができる。このため、リセットパルス光ＯＰＴｃがフォトダイオードＤ２に入射した場合においても、そのリセットパルス光ＯＰＴｃを差動回路１１にて検出できるようにするができ、プリチャージにて動作速度が律速されるのを防止しつつ、低消費電力化を図ることができる。
【００４９】
図５は、本発明の第３実施形態に係る光通信用受信回路の概略構成を示すブロック図である。
図５において、この光通信用受信回路には、図１の光通信用受信回路の構成に加え、抵抗Ｒ１、Ｒ２が設けられている。そして、抵抗Ｒ１は、Ｎチャンネル電界効果トランジスタＮ１のゲートに接続されている。また、抵抗Ｒ２は、Ｎチャンネル電界効果トランジスタＮ２のゲートに接続されている。
【００５０】
図６は、図５の光通信用受信回路の動作を示すタイミングチャートである。
図６において、差動回路１１への入力電圧Ｘｔ、Ｘｃがロウレベル、ラッチ回路１２からの出力電圧Ｖｔｎ、Ｖｃｎがハイレベルであるものする。そして、ラッチ回路１２からの出力電圧Ｖｔｎ、Ｖｃｎがハイレベルの場合、排他的論理和回路ＸＲ１からの出力電圧ＰＣｐはロウレベル、インバータＩＶ１からの出力電圧ＰＣｎはハイレベルになる。
このため、Ｎチャンネル電界効果トランジスタＮ５、Ｎ６およびＰチャンネル電界効果トランジスタＰ３、Ｐ４はオフするとともに、Ｎチャンネル電界効果トランジスタＮ０はオンする。
【００５１】
そして、抵抗Ｒ１、Ｒ２がない場合、フォトダイオードＤ１、Ｄ２に暗電流によるリークがあるものとすると、入力電圧Ｘｔ、Ｘｃの電位は徐々に上昇する。そして、入力電圧ＸｔがＮチャンネル電界効果トランジスタＮ２のしきい値電圧に達すると（時刻ｔ６２）、Ｎチャンネル電界効果トランジスタＮ２がオンする。そして、出力電圧Ｖｔｎがハイレベルである場合、Ｎチャンネル電界効果トランジスタＮ４はオンするため、出力電圧Ｖｃｎがロウレベルに変化する（時刻ｔ６３）。
【００５２】
そして、出力電圧Ｖｃｎがロウレベルに変化すると、フリップフロップＳＲ１の出力電圧ｏｕｔは、ハイレベルからロウレベルに変化することで（時刻ｔ６４）、元の信号光が復元されるとともに、排他的論理和回路ＸＲ１からの出力電圧ＰＣｐはロウレベルからハイレベルに変化する（時刻ｔ６５）。そして、排他的論理和回路ＸＲ１からの出力電圧ＰＣｐがロウレベルからハイレベルに変化すると、Ｎチャンネル電界効果トランジスタＮ５、Ｎ６がオンし、差動回路１１への入力電圧Ｘｃがハイレベルからロウレベルに変化するとともに（時刻ｔ６６）、差動回路１１への入力電圧Ｘｔがロウレベルのまま維持される。
【００５３】
また、排他的論理和回路ＸＲ１からの出力電圧ＰＣｐがロウレベルからハイレベルに変化すると、インバータＩＶ１からの出力電圧ＰＣｎはハイレベルからロウレベルに変化する（時刻ｔ６７）。そして、インバータＩＶ１からの出力電圧ＰＣｎがハイレベルからロウレベルに変化すると、Ｎチャンネル電界効果トランジスタＮ０がオフするとともに、Ｐチャンネル電界効果トランジスタＰ３、Ｐ４がオンし、出力電圧Ｖｃｎがロウレベルからハイレベルに変化するとともに（時刻ｔ６８）、出力電圧Ｖｔｎがハイレベルのまま維持される。
【００５４】
そして、出力電圧Ｖｔｎがハイレベルに変化すると、排他的論理和回路ＸＲ１からの出力電圧ＰＣｐはハイレベルからロウレベルに変化する（時刻ｔ６９）。そして、排他的論理和回路ＸＲ１からの出力電圧ＰＣｐがハイレベルからロウレベルに変化すると、Ｎチャンネル電界効果トランジスタＮ５、Ｎ６がオフする。また、排他的論理和回路ＸＲ１からの出力電圧ＰＣｐがハイレベルからロウレベルに変化すると、インバータＩＶ１からの出力電圧ＰＣｎはロウレベルからハイレベルに変化する（時刻ｔ７０）。そして、インバータＩＶ１からの出力電圧ＰＣｎがロウレベルからハイレベルに変化すると、Ｎチャンネル電界効果トランジスタＮ０がオンするとともに、Ｐチャンネル電界効果トランジスタＰ３、Ｐ４がオフする。
【００５５】
この結果、リセットパルス光ＯＰＴｃがフォトダイオードＤ２に入射してないにもかかわらず、フリップフロップＳＲ１の出力電圧ｏｕｔが、ハイレベルからロウレベルに変化し、誤動作が引き起こされる。
【００５６】
一方、抵抗Ｒ１、Ｒ２がある場合、フォトダイオードＤ１、Ｄ２に暗電流は、抵抗Ｒ１、Ｒ２をそれぞれ介して逃がされる。このため、フォトダイオードＤ１、Ｄ２に暗電流によるリークがある場合においても、入力電圧Ｘｔ、Ｘｃの電位が徐々に上昇するのを防止することができ、光通信用受信回路の誤動作を防止することができる。
【００５７】
なお、図１の実施形態では、プリチャージ回路１３およびＰチャンネル電界効果トランジスタＰ３、Ｐ４を設ける方法について説明したが、プリチャージ回路１３およびＰチャンネル電界効果トランジスタＰ３、Ｐ４はなくてもよい。
また、図５の実施形態では、図１の実施形態に抵抗Ｒ１、Ｒ２を設ける方法について説明したが、図３の実施形態に抵抗Ｒ１、Ｒ２を設けるようにしてもよい。あるいは、図１の実施形態において、プリチャージ回路１３およびＰチャンネル電界効果トランジスタＰ３、Ｐ４を省略した構成に抵抗Ｒ１、Ｒ２を設けるようにしてもよい。
【符号の説明】
【００５８】
１１  差動回路、１２  ラッチ回路、１３、１３´  プリチャージ回路、Ｄ１、Ｄ２  フォトダイオード、Ｃ１、Ｃ２  コンデンサ、Ｎ０〜Ｎ８  Ｎチャンネル電界効果トランジスタ、Ｐ１〜Ｐ４  Ｐチャンネル電界効果トランジスタ、ＳＲ１  フリップフロップ、ＸＲ１  排他的論理和回路、ＩＶ１〜ＩＶ３  インバータ、Ｒ１、Ｒ２  抵抗
【図１】
2010219642.tif 000003
【図２】
2010219642.tif 000004
【図３】
2010219642.tif 000005
【図４】
2010219642.tif 000006
【図５】
2010219642.tif 000007
【図６】
2010219642.tif 000008